(57)【特許請求の範囲】
【請求項１】
自動車用車両搭載電子システム（１）に組み込んであり、遠隔符号化装置（６）を用いてホイール・アンチロック装置を制御するようにコンピュータを特徴化する特徴化システムであって、前記ホイール・アンチロック・コンピュータ（２）が、前記コンピュータの動作データを格納する手段（５）と関連付けたデータ処理ユニット（４）を備えており、前記ホイール・アンチロック装置を制御する単一の論理装置を前記データ処理ユニット（４）にロードすること、前記データ格納手段（５）が、異なる車両について選択可能な数組の特徴パラメータ（Ｖ１，Ｖ２，Ｖｎ）を含むこと、前記遠隔符号化装置（６）が、前記車両を認識する手段（７，８）と、前記コンピュータの前記データ処理ユニット（４）にロードした前記論理装置に、前記認識した車両に対応する組の特徴パラメータを関連付けることによって、前記ホイール・アンチロック・コンピュータ（２）を特徴化する手段（７，８）とを備えること、前記遠隔符号化装置（６）は、更に、車両識別バーコード（１０）を読み取る手段（９）を備えること、を特徴とする特徴化システム。
【請求項２】
請求項１記載の特徴化システムにおいて、前記車両の前記電子システム（１）は、前記ホイール・アンチロック・コンピュータ（２）とは異なる少なくとも１台の別のコンピュータ（３）を備えていること、および前記遠隔符号化装置（６）は、更に、前記車両を認識するため前記別のコンピュータを識別する手段（７，８）を備えていること、を特徴とする特徴化システム。
【請求項３】
請求項２記載の特徴化システムにおいて、前記別のコンピュータを識別する前記手段は、該別のコンピュータと情報を交換する手段（７）を備えていること、を特徴とする特徴化システム。
【請求項４】
請求項３記載の特徴化システムにおいて、前記情報を交換する手段は、前記遠隔符号化装置（６）と前記別のコンピュータ（３）との間で情報の交換を開始させる手段（７）と、前記別のコンピュータ（３）が送出した識別メッセージを受け取る手段（７）と、該メッセージから前記車両を認識する手段（７，８）と、を含むことを特徴とする特徴化システム。
【請求項５】
請求項１から４のいずれかに記載の特徴化システムにおいて、前記遠隔符号化装置（６）の前記ホイール・アンチロック・コンピュータ（２）を特徴化する前記手段（７，８）は、前記コンピュータの前記データ処理ユニット（４）と関連するデータを格納する手段（５）において、前記車両に対応する組の選択可能なパラメータを突き止める少なくとも１つの情報項目（Ｖ１ｒ）を含むメッセージを、前記コンピュータにロードする手段（７，８）を備えていること、を特徴とする特徴化システム。
【請求項６】
請求項５記載の特徴化システムにおいて、前記ホイール・アンチロック・コンピュータ（２）にロードする前記メッセージは、更に、該メッセージを前記コンピュータにロードする位置に関する、少なくとも１つの情報項目も含むこと、を特徴とする特徴化システム。
【請求項７】
請求項１から６のいずれかに記載の特徴化システムにおいて、前記遠隔符号化装置（６）は、更に、前記ホイール・アンチロック・コンピュータの特徴化ステータスを監視する手段（７，８）を備えていること、を特徴とする特徴化システム。
【発明の詳細な説明】
【０００１】
【発明の属する技術分野】
本発明は、自動車用の車両搭載(onboard)電子システムに組み込む、ホイール・アンチロック装置を制御するようにコンピュータを特徴化する特徴化システムに関するものである。
【０００２】
【従来の技術】
今日まで、ホイール・アンチロック装置を制御するための論理装置は、その各バージョンがそれ自体のコンピュータを有していた。場合によっては、同じタイプの車両でも、その制動系の構造（例えば、ドラムブレーキまたはディスクブレーキ，サルーンまたはステーション・ワゴン）によって、数種類のコンピュータを必要としていた。
【０００３】
【発明が解決しようとする課題】
これには、数種類のコンピュータの製造および管理を必要とするという欠点がある。
また、例えば、電気配線系のような車両部分を認識する手段に関連付けて、制御用論理装置の全バージョンを記憶させたメモリを備えたコンピュータを１台のみ有し、そして認識した部分にしたがって論理装置の１つのバージョンを選択することは、既に知られている。
これにも同様の欠点があり、コンピュータのみならず、例えば配線系のような車両部分についても製造および管理が必要となる。
したがって、本発明の目的は、これらの問題を解決することである。
【０００４】
【課題を解決するための手段】
この目的のために、本発明は、自動車用車両搭載電子システムに組み込んであり、遠隔符号化装置を用いてホイール・アンチロック装置を制御するようにコンピュータを特徴化する特徴化システムから成り、ホイール・アンチロック・コンピュータが、コンピュータの動作データを格納する手段と関連付けたデータ処理ユニットを備えており、ホイール・アンチロック装置を制御する単一の論理装置をデータ処理ユニットにロードすること、データ格納手段が、異なる車両について選択可能な数組の特徴パラメータを含むこと、および遠隔符号化装置が、車両を認識する手段と、コンピュータのデータ処理ユニットにロードした論理装置に、認識した車両に対応する組の特徴パラメータを関連付けることによって、ホイール・アンチロック・コンピュータを特徴化する手段とを備えていること、を特徴とする。
本発明は、添付図面を参照しながら、単なる一例として与える以下の説明の助けによって、よりよく理解できる。
【０００５】
【発明の実施の形態】
図１は、自動車用車両搭載電子システムに組み込むホイール・アンチロック装置を制御するようにコンピュータを特徴化する特徴化システムを示す。
この車両搭載電子システムは、この図では、参照番号１で識別し、例えば、参照番号２で識別するホイール・アンチロック・コンピュータ、およびその他のコンピュータを備えている。その他のコンピュータの１つは、車両内のその他の機能を制御するためのものであり、参照番号３で識別する。
【０００６】
従来、ホイール・アンチロック・コンピュータ２は、この図では参照番号４で識別する、データ処理ユニットを備え、これを、参照番号５で識別したこのデータ処理ユニットの動作データを格納する手段と関連付けている。
このコンピュータを特徴化するには、本発明によるシステムにおいて、車両の電子システムに接続するように構成し、例えば、電子システムからの診断情報を受け取る遠隔符号化装置を用いる。この遠隔符号化装置は、この図では参照番号６で識別する。
この遠隔符号化装置もまた、参照番号７で識別するデータ処理ユニットを備えており、参照番号８で識別するデータ格納手段と関連付けている。
【０００７】
実際には、本発明によるシステムでは、ホイール・アンチロック装置を制御する単一の論理装置を、ホイール・アンチロック・コンピュータ２のデータ処理ユニット４にロードし、そして参照番号５で識別する対応するデータ格納手段は、異なった車両に対し選択可能な数組の特徴パラメータを含む。
これら特徴パラメータの組は、例えば、タイプ１，２およびｎの車両について、この図では、例えば、参照符号Ｖ１，Ｖ２およびＶｎで識別している。
【０００８】
遠隔符号化装置６は、車両を認識する手段と、そして認識した車両に対応する特徴パラメータの組を、その車両のデータ処理ユニット４にロードした論理装置と関連付けることにより、車両のホイール・アンチロック・コンピュータ２を特徴化する手段と、を備えている。
これらの車両を認識する手段およびホイール・アンチロック・コンピュータを特徴化する手段は、データ格納手段８と関連付けたこの装置のデータ処理ユニット７から成っている。
【０００９】
実際には、遠隔符号化装置６は、車両識別バーコードを読み取る手段で構成することができる。
これらの読み取り手段は、例えば、この図では参照番号９で識別する光学ワンド(optical wand)を備えており、車両が担持するバーコードの形態の情報を読み取るように構成している。バーコードは、この図では参照番号１０で識別している。
このコードから読み取った情報に応じて、遠隔符号化装置６のデータ処理ユニット７は、例えば、データ処理ユニット７に関連付けた手段８内に予め格納したマッピング・テーブルを参照することによって、その車両を認識するように構成している。
【００１０】
しかし、先に示したように、車両搭載電子システムは、この図では参照番号３で識別するコンピュータのように、ホイール・アンチロック・コンピュータ２とは異なる別のコンピュータを少なくとも１台備えることも可能である。
このコンピュータは、例えば、車両の補助機器ユニット・コンピュータとすることができる。
この場合、遠隔符号化装置６は、この別のコンピュータ３を識別して車両を認識する手段も備えることができる。
【００１１】
この目的のために、遠隔符号化装置６のデータ処理ユニット７は、前記別のコンピュータ３と情報を交換し、車両を認識可能とするように構成することができる。
これら情報を交換する手段は、例えば、遠隔符号化装置６のデータ処理ユニット７から成り、そして例えば、交換を開始して、遠隔符号化装置６と別のコンピュータ３との間で情報伝送の同期を取る手段と、別のコンピュータから遠隔符号化装置６に宛てて送出した識別メッセージを受け取る手段と、そしてこの識別メッセージから車両を認識する手段と、を備え、遠隔符号化装置６のデータ処理ユニット７は、例えば、それに関連付けたデータ格納手段に記憶したマッピング・テーブルを参照する。
【００１２】
前述の方法の一方および他方の内の一方または双方にしたがって実行した車両の認識に応じて、遠隔符号化装置６は、ホイール・アンチロック・コンピュータ２に、例えばこのホイール・アンチロック・コンピュータのデータ処理ユニット４に対し、このコンピュータのこのデータ処理ユニットに関連付けたデータ格納手段５内の、認識した車両に対応する選択可能なパラメータの組を突き止める少なくとも１つの情報項目を含むメッセージをロードすることができる。
このメッセージは、この装置の格納手段８に予め格納しておいたものである。
【００１３】
したがって、例えば、この図では、遠隔符号化装置６によってこのメッセージをこのデータ処理ユニット４にロードし、そしてこれは参照符号Ｖ１ｒで識別してあって、これによって、データ処理ユニット４、更に特定すれば、データ処理ユニット４にロードしたホイール・アンチロック・コンピュータを制御する論理装置が、認識した車両Ｖ１に対応する組のパラメータＶ１を選択して、対応する制御則(control law)を活性化することができる。
【００１４】
勿論、遠隔符号化装置６がこのデータ処理ユニット４にロードするメッセージは、例えば、メッセージをこのユニット内にロードする場所のような他の情報も含むことができる。
加えて、遠隔符号化装置６の処理ユニット７によって、チェック・ステップを実装することにより、ホイール・アンチロック・コンピュータ２の特徴化状態をチェックして、コンピュータを既に特徴化したか否かについて判定を行うようにすることも可能である。
【００１５】
この動作について、図２，図３および図４に示す。
図２において、この動作の最初のステップは、この図では参照番号１１で識別する、遠隔符号化装置による車両認識ステップである。車両を認識したなら、参照番号１２で識別するステップにおいて、装置とホイール・アンチロック・コンピュータとの間で情報交換を開始することができる。
ステップ１３の間、遠隔符号化装置は、このコンピュータの特徴化ステータスを確認し、ステップ１４において、認識した車両に対応する組の選択可能なパラメータを突き止める情報を含むメッセージを、コンピュータにロードすることを可能にする。
【００１６】
このメッセージをホイール・アンチロック・コンピュータにロードしたなら、ホイール・アンチロック・コンピュータは、参照番号１５で識別するステップにおいて、例えば、肯定応答を遠隔符号化装置に送る。
先に示したように、認識手順は、バーコードを読み取ることによって、またはホイール・アンチロック・コンピュータ以外の、車両搭載電子システムのコンピュータを識別することによって行うことができる。
【００１７】
図３は、車両上のバーコードを読み取るステップ、およびこのコードから車両を認識するステップを、それぞれ参照番号１６および１７で示す。これらのステップは遠隔符号化装置によって実施する。
【００１８】
図４は、車両の認識を行う際に、そのコンピュータの１つを識別することによって認識を行う別の方法を示す。
この図では、ステップ１８が、遠隔符号化装置および別のコンピュータ３間の情報交換の開始を表す。これによって、この別のコンピュータ３は、ステップ１９において、識別メッセージを遠隔符号化装置６に送ることができるようになり、遠隔符号化装置はステップ２０において車両の認識を行うことができる。
【００１９】
本発明によるシステムでは、ホイール・アンチロック・コンピュータは、データ処理ユニットを備えており、その中に単一の論理装置をロードし、このデータ処理ユニットを、異なった車両に対応する数組の特徴動作パラメータを格納する格納手段と関連付けている。
【００２０】
更に、遠隔符号化装置は、例えば、車両の電子システムの別のコンピュータとの対話によって車両を認識し、認識した車両に対応する組のパラメータをこのコンピュータのデータ格納手段において突き止める情報を、ホイール・アンチロック・コンピュータにロードし、そして認識した車両に応じてホイール・アンチロック・コンピュータを特徴化するように構成してある。
【００２１】
こうすることにより、これら特徴化処理の簡略化が可能となる。
【図面の簡単な説明】
【図１】本発明による特徴化システムの構造を示すブロック図。
【図２】図１の特徴化システムの動作を示すフローチャート。
【図３】図１の特徴化システムの動作を示すフローチャート。
【図４】図１の特徴化システムの動作を示すフローチャート。
【符号の説明】
１    車両搭載電子システム
２    ホイール・アンチロック・コンピュータ
３    コンピュータ
４    データ処理ユニット
５    データ格納手段
６    遠隔符号化装置
７    データ処理ユニット
８    データ格納手段
９    光学ワンド
１０    バーコード
【図１】
0004209492.tif 000002
【図２】
0004209492.tif 000003
【図３】
0004209492.tif 000004
【図４】
0004209492.tif 000005